(57)【特許請求の範囲】
【請求項１】
放出対象の内容物とその噴射剤とを別々に収納した内容物容器および噴射剤容器を一体化した状態で使用され、かつ、当該噴射剤容器の操作部の作動にともなって噴射剤放出弁が開くことにより噴射剤放出口から放出される噴射剤の流れに基づく吸引作用で、内容物容器の内容物が吸い上げられて内容物放出口から外部空間に放出される内容物噴射用ベンチュリー機構において、
前記噴射剤放出口を、前記内容物放出口の周りに位置する環状の態様で形成し、
前記内容物容器と前記内容物放出口との間の内容物通路に内容物放出弁を設け、
前記内容物容器と外部空間との間の外気通路に外気流入弁を設け、
前記操作部の作動に応じて前記内容物放出弁および前記外気流入弁を静止モードの閉状態から作動モードの開状態に移行させる弁制御部材を備えている、
ことを特徴とする内容物噴射用ベンチュリー機構。
【請求項２】
前記弁制御部材は、
前記操作部の作動モード設定操作と連動し、かつ、前記内容物放出弁の構成要素および前記外気流入弁の構成要素をそれぞれ備えている、
ことを特徴とする請求項１記載の内容物噴射用ベンチュリー機構。
【請求項３】
前記内容物容器および前記噴射剤容器を一体化する結合部材を備え、
前記結合部材の一部に、前記内容物容器の取外し用操作部を、当該内容物容器に対して係合保持するとともに当該係合保持の解除操作により当該内容物容器が下方へ取り出される状態に変位する形で設けた、
ことを特徴とする請求項１記載の内容物噴射用ベンチュリー機構。
【請求項４】
請求項１乃至３のいずれかに記載の内容物噴射用ベンチュリー機構を備え、かつ、前記内容物容器に内容物が収納され、前記噴射剤容器に噴射剤が収納されている、
ことを特徴とするエアゾール式製品。
【発明の詳細な説明】
【技術分野】
【０００１】
本発明は、放出対象の内容物（原液など）とその噴射剤（液化ガスなど）とを別々の容器に収納して当該容器（内容物容器および噴射剤容器）を一体化した状態で使用されるベンチュリー機構、すなわち噴射剤放出口の近くに内容物放出口を設け、噴射剤の放出流によって生じる吸引作用で内容物をその収納容器から吸い上げて外部空間に放出（噴射）させるタイプの内容物噴射用ベンチュリー機構に関する。
【０００２】
所定の内部圧力で使用される噴射剤容器にはその操作部に応動した開閉作用を呈する噴射剤放出弁が備えられている。
【０００３】
内容物のこぼれ防止を考慮すれば、内容物容器側に内容物放出弁と外気流入弁を設けて、当該各弁および噴射剤放出弁の開閉動作を単一操作で簡単，確実に設定できることが望ましい。
【０００４】
そして、噴射剤容器の内部圧力を高くしなくても内容物容器の内容物が細かなキリ状態で放出されることが望ましい。さらには、内容物容器を簡単な操作，作業で噴射剤容器側に着脱できることが望ましく、本発明はこれらの要請に応えるものである。
【０００５】
なお、本明細書においては噴射剤放出口や内容物放出口の側を「前」と記し、それとは反対側の噴射剤容器の操作ボタン側を「後」と記す。
【背景技術】
【０００６】
本件出願人などは、内容物（塗料など）の粒子の細かさや噴射内容物の液だれ，固化の程度などの内容物噴射性状の向上化を図ることを目的とした内容物噴射用ベンチュリー機構をすでに提案している（特許文献１参照）。
【０００７】
この提案済みの内容物噴射用ベンチュリー機構では内容物容器の内容物放出弁および外気吸入用弁を設けない態様をとっている。
【０００８】
また、内容物放出口および噴射剤放出口の各径の大きさや当該放出口同士の位置関係を特定の範囲に設定したものであって、内容物放出口から噴射される内容物は噴射剤放出流に沿った下側空間部分で当該放出流を追従する形になっている。
【０００９】
また、内容物容器を噴射剤容器から取り外すさいには、それぞれの容器を吊り下げるような形で保持しているホルダーの二股部分から当該内容物容器を横方向（当該二股部分の開口側）に取り出す形になっている。
【特許文献１】特開２００５−３２９３４１号公報
【発明の開示】
【発明が解決しようとする課題】
【００１０】
上述した内容物噴射用ベンチュリー機構の内容物容器（原液容器）の内容物放出口および外気連通口にはいわゆるシール作用弁（内容物放出弁および外気流入弁）が設けられていない。そのため当該ベンチュリー機構を備えたエアゾール式製品が横倒しなどした場合には内容物容器の原液がこぼれてしまうといった点で改善の余地を残している。
【００１１】
また、内容物放出口および噴射剤放出口それぞれの径の大きさや当該放出口同士の位置関係を特定の範囲に設定するのとは別の手法で、同じように内容物噴射性状の向上化を図れないかといった点で改善の余地を残している。
【００１２】
さらには、内容物容器をその重さを利用して噴射剤容器から簡単に外せるようにできないかといった点でも改善の余地を残している。
【００１３】
そこで本発明では、内容物容器の内容物放出口に対する内容物放出弁および外気連通口に対する外気流入弁を設けて、噴射剤容器の噴射剤放出弁を含む各弁を単一操作で開状態に設定できるようにすることにより、横倒しなどの場合にも内容物容器の原液などの中身がこぼれるのを防止して、製品使用上での利便性を高めることを目的とする。
【００１４】
また、噴射剤容器の内部圧力を抑えながらも内容物がより細かなキリ状態で放出されるようにしたり、内容物容器をより簡単な操作で着脱できるようにしたりすることにより、内容物の放出性状や、内容物容器の着脱操作性（着脱作業性）のいっそうの向上化を図ることを目的とする。
【課題を解決するための手段】
【００１５】
本発明は、以上の課題を次の内容物噴射用ベンチュリー機構を用いて解決する。
（１）放出対象の内容物とその噴射剤とを別々に収納した内容物容器（例えば後述の内容物容器５）および噴射剤容器（例えば後述の噴射剤容器１）を一体化した状態で使用され、かつ、当該噴射剤容器の操作部（例えば後述のボタン４）の作動にともなって噴射剤放出弁（例えば後述のステム２の孔部２ａとステムガスケット２ｂからなる噴射剤放出弁）が開くことにより噴射剤放出口（例えば後述の直立筒状外周面７ｖと前側内周面１２ｂとの間の空間域）から放出される噴射剤の流れに基づく吸引作用で、内容物容器の内容物が吸い上げられて内容物放出口（例えば後述の小径開口部７ｈ）から外部空間に放出される内容物噴射用ベンチュリー機構において、
前記噴射剤放出口を、前記内容物放出口の周りに位置する環状の態様で形成し、
前記内容物容器と前記内容物放出口との間の内容物通路に内容物放出弁（例えば後述のジョイント７の開口内縁部分７ｇとニードル８のテーパ面８ａからなる内容物放出弁）を設け、
前記内容物容器と外部空間との間の外気通路に外気流入弁（例えば後述のジョイント７の溝状部７ｅなどとＯリング１１とからなる外気流入弁）を設け、
前記操作部の作動に応じて前記内容物放出弁および前記外気流入弁を静止モードの閉状態から作動モードの開状態に移行させる弁制御部材（例えば後述のニードル８）を備えたものを用いる。
（２）上記（１）において、
前記弁制御部材は、
前記操作部の作動モード設定操作と連動し、かつ、前記内容物放出弁の構成要素（例えば後述のニードル８のテーパ面８ａ）および前記外気流入弁の構成要素（例えば後述のＯリング１１）をそれぞれ備えたものを用いる。
（３）上記（１）において、
前記内容物容器および前記噴射剤容器を一体化するための結合部材（例えば後述のジョイント７）を備え、
前記結合部材の一部に、前記内容物容器の取外し用操作部（例えば後述の取外し用操作部７ｒ）を、当該内容物容器に対して係合保持するとともに当該係合保持の解除操作により当該内容物容器が下方へ取り出される状態に変位する形で設けたものを用いる。
【００１６】
本発明は、以上の構成からなる内容物噴射用ベンチュリー機構および、これを備えたエアゾール式製品を対象としている。
【発明の効果】
【００１７】
本発明はこのように、内容物容器に関する内容物放出弁および外気流入弁を設けるとともに、噴射剤容器の噴射剤放出弁を含む各弁が噴射剤容器での単一操作によって開状態に設定される形になっているので、横倒しなどの場合にも内容物容器の内容物がこぼれるのを防止し、製品使用上での利便性を高めることができる。
【００１８】
また、噴射剤放出口を内容物放出口の周りに形成して内容物が噴射剤の放出流にいわば包みこまれるような内容物放出態様とし、これにより噴射剤容器の内部圧力が「1.0kgf／ｃｍ2〜2.0kgf／ｃｍ2」といった程度の低圧の場合にも内容物がより細かなキリ状態で放出されるようにしているので、内容物の噴射性状のいっそうの向上化を図ることができる。
【００１９】
また、内容物容器および噴射剤容器の結合部材に設けた取外し用操作部の操作に基づいて当該結合部材と当該内容物容器との係合状態を解除し、これにより内容物容器が下方へ取り出されるようにしているので、内容物容器の取り外し作業についてその重みも利用した形の簡単化を図ることができる。
【発明を実施するための最良の形態】
【００２０】
図１乃至図５を用いて本発明を実施するための最良の形態を説明する。
【００２１】
ここで、
図１は、内容物噴射用ベンチュリー機構の静止モードを示し、
図２は、ボタン押下げ操作の初期段階である作動開始状態を示し、
図３は、ボタン押下げ操作の定常段階（最終段階）である作動モードを示し、
図４は、内容物噴射用ベンチュリー機構の平面図を示し、
図５は、内容物噴射用ベンチュリー機構の斜視図（一部断面）の概要を示している。
【００２２】
以下に用いるアルファベット付き参照番号の構成要素（例えばマウンティングキャップ１ａ）は原則として、当該参照番号の数字部分の構成要素（例えば噴射剤容器１）の一部であることを示している。
【００２３】
なお、数字のみの参照番号を付した構成要素は、噴射剤容器１，ステム２，アクチュエータ３，ボタン４，内容物容器５，チューブ６，ジョイント７，ニードル８，コイルスプリング９，Ｏリング１０，１１，ノズルピース１２である。
【００２４】
図１〜図５において、
１はエアゾール式製品の場合と同様のマウンティングキャップ，ハウジングなどを備え、噴射剤としてのガス（液化ガス）が収納されている噴射剤容器，
１ａは当該噴射用容器の構成要素であって容器本体開口部分にクリンチ固定されたマウンティングキャップ，
をそれぞれ示している。
【００２５】
２は噴射剤容器１のハウジング（図示省略）に設けられて周知の噴射剤放出弁および筒状噴射剤通路部分を備えたステム，
２ａは当該噴射剤放出弁を構成する噴射剤通過用の孔部，
２ｂは当該孔部との接離作用により噴射剤放出弁として作用するステムガスケット，
を示している。
【００２６】
３は噴射剤容器１の開口側外周面の凹状部に嵌合し、かつ、ステム２に保持されて当該ステムからその下流側に続く筒状の噴射剤通路域を備えたアクチュエータ，
３ａはステム２の上端側部分と係合して保持される縦鞘状部，
３ｂは当該縦鞘状部からその下流側に続く筒状部材であって、作動モードおよび静止モード間の切り換わりに際しいわば撓る態様で変位する（図３参照）横通路部，
３ｃは噴射剤容器１に保持されて一部が当該横筒状部と連続している縦筒状部，
３ｄは当該縦筒状部の内周面下端側に形成されてマウンティングキャップ１ａの下端部分と当接した状態の環突状部，
３ｅは縦筒状部３ｃの内側周方向の一部に形成された段状天面部分，
３ｆは縦筒状部３ｃの内周面に複数形成されてマウンティングキャップ１ａの上端部分と当接するリブ，
３ｇは後述のジョイント７の外側横筒状部７ａと嵌合した筒状の結合部，
３ｈは当該結合部の内周面に形成された嵌合用の環突状部，
３ｊは縦筒状部３ｃの前側上部分に形成されてその中を介して後述のニードル８が前後方向に移動する孔部，
３ｋは当該孔部の回りの縦筒状部外周面に形成された内側起立部と外側起立部との間からなる環状部分であって後述のジョイント７の内側横筒状部７ｄと結合する環溝状部，
をそれぞれ示している。
【００２７】
４は利用者の押下げ操作（図２，図３参照）に基づき、縦鞘状部３ａの上面部分と当接しながら、アクチュエータ３の段状天面部分３ｅとの係合箇所を軸にする形で図示時計方向に回動して、静止モードのステム２および後述のニードル８をそれぞれ作動モード位置に移行させる機能を備えたボタン，
４ａは縦鞘状部３ａの上面部分と当接する突状部，
４ｂは当該ボタンの前側周面部分に形成されて後述のニードル８の環凹状部８ｄを跨ぐ形でこれと係合する逆Ｕ字状の上側切欠状部，
４ｃは当該上側切欠状部の下方に続き、これより幅広であってアクチュエータ３の横通路部３ｂを跨ぐ形に設定された下側切欠状部，
４ｄは当該下側切欠状部の下端域の各横側にそこから外延する態様で形成されて作動モード設定操作の際、アクチュエータ３の段状天面部分３ｅに係合して当該ボタンの回動中心となる一対のフック状部，
４ｅはアクチュエータ３の縦鞘状部３ａの外周面部分を挟み込む平行な態様（図５参照）で当該ボタンの天面部分および後側内周面部分からそれぞれ延びて、当該ボタンの当該縦鞘状部に対する（図１の面と直交する方向への）傾きや位置ずれを防止するための一対の垂下板状リブ，
をそれぞれ示している。
【００２８】
５は放出対象物である後述の各種内容物（原液）が収納されている内容物容器，
５ａは当該内容物容器の開口筒状部，
５ｂは当該開口筒状部の外周面に形成されて後述のジョイント７の容器保持部７ｔと係合する突状の被保持部，
５ｃは当該被保持部の上方（開口筒状部の外周面）に形成されて後述の取外し用操作部７ｒの図示時計方向への回動を許容するための窪み状部分，
５ｄは開口筒状部５ａの下方に続き、当該内容物容器が噴射剤容器１と一体化されたときに当該噴射剤容器の外周面の一部と合致する曲面部分と、当該曲面部分の周方向両端部から「くの字状」の横断面の形で延びる面部分と、を備えた周面形状からなる胴部（図４，図５参照），
をそれぞれ示している。
【００２９】
６は噴射剤の放出にともなうベンチュリー作用によって吸引される原液が通過するチューブ，
を示している。
【００３０】
７は噴射剤容器１と内容物容器５とを一体化させるための結合部材であって噴射剤，内容物および外気の各通路域を個別に設定するジョイント，
７ａは噴射剤の通路域構成要素として作用する外側横筒状部，
７ｂは当該外側横筒状部の後側外周面に形成されてアクチュエータ３の環突状部３ｈと嵌合した状態の環状段部，
７ｃは外側横筒状部７ａの内周面に形成されて後述のノズルピース１２の環凸状部１２ｄと嵌合した状態の環凹状部，
７ｄは噴射剤および外気の通路域構成要素として作用する内側横筒状部，
７ｅは当該内側横筒状部の少なくとも下側内周面の後部分に形成されて作動モード（図３参照）の外気流入用通路域を構成する溝状部，
７ｆは内側横筒状部７ｄの出力側（前部分）に形成された筒状出力部，
７ｇは当該筒状出力部の流入口であって噴射剤放出弁を構成する開口内縁部分，
７ｈは筒状出力部７ｆの前端側であって内容物の放出口として作用する小径開口部，
７ｊは筒状出力部７ｆの前側外周面を構成するテーパ面，
７ｋは内側横筒状部７ｄの周面部分から下方に延びてチューブ６にいたる内容物流出用の縦筒状部，
７ｍは内側横筒状部７ｄの周面部分から下方に延びて内容物容器５の空間域にいたる外気流入用の縦筒状部，
７ｎは内容物容器５を着脱自在な形で保持する環状保持部，
７ｐは当該環状保持部を構成する外側垂下部分，
７ｑは当該外側垂下部分の前側外周面部分に形成された切欠状部，
７ｒは当該切欠状部に配設されて利用者が内容物容器５の取付け，取外しを行う際に用いる取外し用操作部，
７ｓは当該取外し用操作部の表面上側に形成された凸状の操作対象部分，
７ｔは当該取外し用操作部の裏面下側に形成されて内容物容器５の被保持部５ｂと係合する容器保持部，
７ｕは取外し用操作部７ｒに対する図示反時計方向の弾性付勢力を備えた性状のものであって、当該取外し用操作部と外側垂下部分７ｐとを連結する接続片部，
７ｖはテーパ面７ｊから続く開口端側の直立筒状外周面，
をそれぞれ示している。
【００３１】
８はジョイント７（内側横筒状部７ｄ）の内部に配設されて当該内側横筒状部との間に内容物容器５への外気流入用通路域を画定し、また、内容物放出弁および外気流入弁として作用する鞘状のニードル，
８ａは前端側に形成されてジョイント７の開口内縁部分７ｇとの間で噴射剤放出弁を構成するテーパ面，
８ｂは当該テーパ面より後側の外周面部分に形成されて後述のＯリング１０の取付け部として作用する前側環溝状部，
８ｃは当該前側環溝状部より後側の外周面部分に形成されて後述のＯリング１１の取付け部として作用する後側環溝状部，
８ｄはアクチュエータ３の縦筒状部３ｃの内側空間域に露出する外周面部分に形成されてボタン４の上側切欠状部４ｂの保持部として作用する環凹状部，
をそれぞれ示している。
【００３２】
９はアクチュエータ３の縦筒状部３ｃとニードル８との各段部間に配設されて内容物放出弁および外気流入弁を閉状態に設定する、すなわち当該ニードルを前方向に付勢するためのコイルスプリング，
を示している。
【００３３】
１０はニードル８の前側環溝状部８ｂに取り付けられてジョイント７の内側横筒状部７ｄの内周面とのシール作用を呈するＯリング，
１１はニードル８の後側環溝状部８ｃに取り付けられてジョイント７の内側横筒状部７ｄの内周面とのシール作用（静止モード）および、溝状部７ｅとの間の外気流入弁作用を呈するＯリング，
をそれぞれ示している。
【００３４】
１２はジョイント７の外側横筒状部７ａの開口部分に取り付けられて当該ジョイントの内側横筒状部７ｄの前側部分との間に外部空間への噴射剤通路域を画定する筒状のノズルピース，
１２ａはジョイント７の出力側の小径開口部７ｈを取り囲む態様で当該開口部の前方に設定された噴射剤放出用および内容物放出用の大径開口部，
１２ｂはジョイント７のテーパ面７ｊおよび直立筒状外周面７ｖと対向する形で設定されたコーン状の前側内周面，
１２ｃは当該前側内周面に続く後側内周面に複数形成された横方向のリブ状部，
１２ｄはジョイント７の環凹状部７ｃと嵌合した状態の環凸状部，
をそれぞれ示している。
【００３５】
Ａは噴射剤容器１からノズルピース１２の大径開口部１２ａまでの噴射剤の流れ，
Ｂは外部空間への噴射剤流出にともなうベンチュリー作用によって内容物容器５からチューブ６経由で吸引される内容物の小径開口部７ｈまでの流れ，
Ｃは周辺境界部分がいわばラッパ状（スカート状）の形となって大径開口部１２ａから外部空間に放出される噴射剤の流れ，
Ｄは噴射剤の流れＣに包み込まれるような混在状態となって、細かなキリ状態で外部空間に放出される内容物の流れ、
Ｅは外部空間への内容物流出にともなって内容物容器５に供給される外気の流れ，
をそれぞれ示している。
【００３６】
上述のステム２，アクチュエータ３，ボタン４，内容物容器５，チューブ６，ジョイント７，ニードル８，ノズルピース１２はポリプロピレン，ポリエチレン，ポリアセタール，ナイロン，ポリブチレンテレフタレートなどの合成樹脂製のものであり、所定の可撓性（弾性）を備えている。
【００３７】
また、噴射剤容器１は金属製のものであり、コイルスプリング９は金属製や合成樹脂製のものであり，Ｏリング１０，１１はゴム製や合成樹脂製のものである，
【００３８】
図示の内容物噴射用ベンチュリー機構の基本的特徴は、
(11)ステム２の噴射剤放出弁，ジョイント７の開口内縁部分７ｇとニードル８のテーパ面８ａからなる内容物放出弁および、ジョイント７の溝状部７ｅなどとＯリング１１からなる外気流入弁のそれぞれが、ボタン４の作動モードの設定操作（およびこれに基づくニードル８の後方への移動）によって静止モードの閉状態から開状態に移行し、また、当該設定操作の解除によってこれら各弁が閉状態に復帰し、
(12)内容物が、ジョイント７の小径開口部７ｈの周りから放出される噴射剤の流れＣに包み込まれるような形になって、細かなキリ状態で放出され、
(13)ジョイント７の取外し用操作部７ｒの押圧回動操作により内容物容器５を当該ジョイントから簡単に取外して、当該容器に内容物を補充し、また当該容器を他の内容物容器と交換したりできる、
ことなどである。
【００３９】
なお、噴射剤容器１に収納された液ガスの圧力は「1.0kgf／ｃｍ2〜2.0kgf／ｃｍ2」といった程度の低圧である。
【００４０】
図１の静止モードでは、ステムは例えば周知のコイルスプリング（図示省略）の弾性作用によって上方向に付勢され、また、ニードル８はコイルスプリング９によって前方向に付勢されている。
【００４１】
その結果、ステム２の孔部２ａとステムガスケット２ｂとからなる噴射剤放出弁，ジョイント７の開口内縁部分７ｇとニードル８のテーパ面８ａとからなる内容物放出弁および、ジョイント７の溝状部７ｅなどとＯリング１１とからなる外気流入弁は、いずれも閉状態となっている。
【００４２】
そしてボタン４はいわばフリーの状態でアクチュエータ３およびニードル８に保持されている。すなわち、突状部４ａが縦鞘状部３ａの上面部分に当接し、上側切欠状部４ｂの上近傍の内周面部分が環凹状部８ｄとその後側外周面との境界縁域に当接し、下側切欠状部４ｃの両側（フック状部材４ｄの上方の脚部分）の外面部分が縦筒状部３ｃと段状天面部分３ｅとの境界縁域に当接している。
【００４３】
静止モードのボタン４が図２の矢印方向に押圧されると、当該ボタンは、先ずその突状部４ａでステム２を押しげながら、当該突状部と縦鞘状部３ａ（上面部分）との当接部分を中心にして図示時計方向に回動する。
【００４４】
このボタン４の回動にともなって、環凹状部８ｄが上側切欠状部４ｂの近傍内周面にいわば係止された状態のニードル８はコイルスプリング９の弾性付勢力に抗する形で後方にスライドし、また、一対のフック状部４ｄがアクチュエータ３の段状天面部分３ｅに当接して、その後はこの当接部分がボタン４の回動中心となる（図２参照）。
【００４５】
そしてボタン４が図２の状態からさらに図示時計方向に回動することにより、ステム２は下方に移動し、かつ、ニードル８は環凹状部８ｄと上側切欠状部４ｂとの係止作用で後方にさらに移動する。このステム２およびニードル８の移動によって、内容物噴射用ベンチュリー機構は図３の作動モードに移行する。
【００４６】
ここでステム２の下方への移動に際しては、アクチュエータ３の横通路部３ｂがその弾性に抗する態様で図３のように変形する。すなわち横通路部３ｂの縦鞘状部側が下方に変位した形になっている。
【００４７】
なお、ボタン４の回動にともない、ニードル８の環凹状部８ｄが係止される上側切欠状部４ｂの近傍内周面は初期（静止モード）の上近傍域から横近傍域へと変化していく。
【００４８】
図３の作動モードでは、
(21)ステム２の孔部２ａがステムラバー２ｂから離間し、
(22)ニードル８のテーパ面８ａがジョイント７の開口内縁部分７ｇから離間し、
(23)Ｏリング１１がジョイント７の溝状部７ｅの部分に移動した、
状態になっている。
【００４９】
すなわち、噴射剤放出弁，内容物放出弁および外気流入弁のそれぞれが静止モードの閉状態から開状態へと切り換わる。
【００５０】
ここで、噴射剤放出弁が開くことにより先ず噴射剤容器２の噴射剤（液化ガス）が流れＡのルートでノズルピース１２の大径開口部１２ａへと流れて気化ガスの形で外部空間に放出される。
【００５１】
噴射剤は、ジョイント７のテーパ面７ｊおよび直立筒状外周面７ｖと、ノズルピース１２の前側内周面１２ｂとの間の環状空間域を通過して、高速ガス流の形で放出される。
【００５２】
そして、このテーパ面７ｊおよび直立筒状外周面７ｖに沿った形の環状空間域は滑り台状の断面を有しているので、外部空間へ放出される噴射剤の全体流はいわばラッパ状（スカート状）の流れ（高速ガス流）Ｃとなる。
【００５３】
この高速ガス流Ｃの発生により、当該ガス流が通過する部分が内容物容器５の内部空間よりも負圧化される。すなわち、内容物の放出口であるジョイント７の小径開口部７ｈの近傍部分が高速ガス流Ｃにともなうベンチュリー作用によって負圧化される。
【００５４】
その結果、内容物容器５の内容物は流れＢの経路により小径開口部７ｈへと吸引されて外部空間に放出される。外部空間での内容物（流れＤ）は、噴射剤の流れＣに包み込まれるような形の細かなキリ状態になっている。
【００５５】
内容物容器５の内容物が外部空間に放出されるのに応じて、流れＥの経路で外気が当該容器内部に流入する。この外気流入により内容物容器５の負圧化を防止している。
【００５６】
ボタン４に対する押下げ操作が終わると、ステム２は周知のコイルスプリング（図示省略）の弾性作用により上方に復帰し、また、ニードル８はコイルスプリング９の弾性作用により前方に復帰する。すなわち噴射剤放出弁，内容物放出弁および外気流入弁のそれぞれが閉状態に移行した、図１の作動モードに復帰する。
【００５７】
アクチュエータ３，ボタン４，ジョイント７，ニードル８，コイルスプリング９，Ｏリング１０，１１およびノズルピース１２を一体化するには、例えば、
(31)ジョイント７の外側横筒状部７ａにノズルピース１２を取り付け、
(32)ニードル８の前側環溝状部８ｂにＯリング１０を、後側環溝状部８ｃにＯリング１１をそれぞれ取り付け、
(33)このＯリング１０，１１が取り付けられたニードル８と、コイルスプリング９をジョイント７の内側横筒状部７ｂの中に入れ、
(34)このニードル８などが入れられたジョイント７をアクチュエータ３の結合部３ｇおよび環溝状部３ｋに取り付け、
(35)このジョイント７がアクチュエータ３に取り付けられた後、ボタン４を、その上側切欠状部４ｂおよび下側切欠状部４ｃの部分が縦筒状部３ｃの前側内周面（段状天面部分３ｅの上方に続く平面部分：図５参照）に強く押し付けられながら環凹状部８ｄや横通路部３ｂを跨ぐ形で、ニードル８の露出部分の上方から入れていく。
【００５８】
なお、上記(35)においてボタン４のフック状部４ｄは、全体がその弾性に抗する形で図示反時計方向に変形しながら縦筒状部３ｃの前側内周面（段状天面部分３ｅの上方に続く平面部分）に沿って下動する。当該前側内周面を通過したフック状部４ｄは図示の初期状態に復帰する。
【００５９】
内容物容器５は、ジョイント７に対し、開口筒状部５ａと環状保持部７ｎとが着脱自在な態様で取り付けられている。
【００６０】
図示の取付け状態では、環状保持部７ｎの一部を構成する取外し用操作部７ｒの容器保持部７ｔが開口筒状部５ａの被保持部５ｂと係合している。
【００６１】
このとき、内容物容器５の胴部５ｄで取外し用操作部７ｒの反対側曲面部分（＝横断面が「くの字状」でない部分）の上端側を除く部分の略全体が噴射剤容器１の外周面に当接する。そのため容器内容物５は、ぐらつくことなしに、ジョイント７の環状保持部７ｎに安定的に保持される。
【００６２】
内容物容器５をジョイント７の環状保持部７ｎから取り外すにはその操作対象部分７ｓを押圧すればよい。この押圧操作にともなって取外し用操作部７ｒが接続片部７ｕを中心に図示時計方向に回動し、当該取外し用操作部の容器保持部７ｔと開口筒状部５ａの被保持部５ｂとの係合状態が解除される。この解除を継続したまま内容物容器５を下方に引けば、当該容器はジョイント７から取り外される。
【００６３】
なお、操作対象部分７ｓを押圧することにより接続片部７ｕが自らの弾性力に抗する形でいわばよじれていき、当該押圧操作を止めると当該接続片部（およびこれと一体の取外し用操作部７ｒ）は図示の初期状態に弾性復帰する。
【００６４】
また、内容物容器５をジョイント７に取り付ける場合には、取外し用操作部７ｒは押圧することなくそのままにして、当該内容物容器を下方から環状保持部７ｎに入れていけばよい。
【００６５】
このときジョイント７の取外し用操作部７ｒは、被保持部５ｂの上側斜面部分と容器保持部７ｔとの当接作用によりいったん時計方向に（接続片部７ｕの弾性に抗する形で）回動して当該被保持部が通過できるようにし、かつ、この通過後に接続片部７ｕの弾性作用で初期状態に復帰して内容物容器５の被保持部５ｂと図示のように係合する。
【００６６】
本発明が、図示のキャップ構造に限定されないことは勿論であって例えば、
(41)ジョイント７の直立筒状外周面７ｖを省略する、
(42)内容物容器５としてその横断面が円形状のものを用いる、
ようにしてもよい。
【００６７】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６８】
内容物容器に収納される内容物としては、液状，クリーム状，ゲル状など種々のものを用いる。内容物に配合される成分としては例えば、粉状物，油成分，アルコール類，界面活性剤，高分子化合物，各用途に応じた有効成分，水などが挙げられる。
【００６９】
粉状物としては、金属塩類粉末，無機物粉末や樹脂粉末などを用いる。
例えば、タルク，カオリン，アルミニウムヒドロキシクロライド（アルミ塩），アルギン酸カルシウム，金粉，銀粉，雲母，炭酸塩，硫酸バリウム，セルロースや、これらの混合物などを用いる。
【００７０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００７１】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００７２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７３】
高分子化合物としては、メチルセルロース，ゼラチン，デンプン，カゼイン，ヒドロキシエチルセルロース，キサンタンガム，カルボキシビニルポリマーなどを用いる。
【００７４】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７５】
さらに、上記内容物以外の、懸濁剤，紫外線吸収剤，乳化剤，保湿剤，酸化防止剤、金属イオン封鎖剤なども用いることができる。
【００７６】
噴射剤としては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００７７】
【図１】内容物噴射用ベンチュリー機構の静止モードを示す説明図である。
【図２】ボタン押下げ操作の初期段階である作動開始状態を示す説明図である。
【図３】ボタン押下げ操作の定常段階（最終段階）である作動モードを示す説明図である。
【図４】内容物噴射用ベンチュリー機構の平面を示す説明図である。
【図５】内容物噴射用ベンチュリー機構の斜視図（一部断面）の概要を示す説明図である。
【符号の説明】
【００７８】
１：噴射剤容器
１ａ：マウンティングキャップ
２：ステム
２ａ：噴射剤通過用の孔部
２ｂ：ステムガスケット
３：アクチュエータ
３ａ：縦鞘状部
３ｂ：横通路部
３ｃ：縦筒状部
３ｄ：環突状部
３ｅ：段状天面部分
３ｆ：リブ
３ｇ：筒状の結合部
３ｈ：嵌合用の環突状部
３ｊ：孔部
３ｋ：環溝状部
４：ボタン
４ａ：突状部
４ｂ：上側切欠状部
４ｃ：下側切欠状部
４ｄ：一対のフック状部
４ｅ：一対の垂下板状リブ
５：内容物容器
５ａ：開口筒状部
５ｂ：被保持部
５ｃ：窪み状部分
５ｄ：胴部
６：チューブ
７：ジョイント
７ａ：外側横筒状部
７ｂ：環状段部
７ｃ：環凹状部
７ｄ：内側横筒状部
７ｅ：溝状部
７ｆ：筒状出力部
７ｇ：開口内縁部分
７ｈ：小径開口部
７ｊ：テーパ面
７ｋ：縦筒状部
７ｍ：縦筒状部
７ｎ：環状保持部
７ｐ：外側垂下部分
７ｑ：切欠状部
７ｒ：取外し用操作部
７ｓ：操作対象部分
７ｔ：容器保持部
７ｕ：接続片部
７ｖ：直立筒状外周面
８：鞘状のニードル
８ａ：テーパ面
８ｂ：前側環溝状部
８ｃ：後側環溝状部
８ｄ：環凹状部
９：コイルスプリング
１０：Ｏリング
１１：Ｏリング
１２ノズルピース
１２ａ：大径開口部
１２ｂ：コーン状の前側内周面
１２ｃ：横方向のリブ状部
１２ｄ：環凸状部
Ａ：噴射剤の流れ
Ｂ：内容物の流れ，
Ｃ：外部空間に放出された噴射剤の流れ，
Ｄ：外部空間に放出された内容物の流れ、
Ｅ：流入外気の流れ
【図１】
0005183243.tif 000002
【図２】
0005183243.tif 000003
【図３】
0005183243.tif 000004
【図４】
0005183243.tif 000005
【図５】
0005183243.tif 000006